(57)【特許請求の範囲】
【請求項１】
複数の画像供給装置からの画像情報を受信する画像情報受信部と、
少なくとも１台の指示装置からの少なくとも１台の前記画像供給装置に対する指示を示す指示情報を受信する指示情報受信部と、
指示対象の前記画像供給装置を判定する判定部と、
前記指示情報を前記指示対象の前記画像供給装置へ向け送信する指示情報送信部と、
前記画像供給装置ごとに割り当てられた領域に前記画像情報に基づく個別画像を含む会議用画像を生成する画像生成部と、
前記会議用画像を投写する投写部と、
前記投写部によって投写された前記会議用画像を撮像して撮像画像を生成する撮像部と、
を含み、
前記指示装置は、前記指示情報の送信機能および発光機能を有し、
前記撮像画像には、前記指示装置によって発光された光が含まれ、
前記判定部は、前記撮像画像における前記光の位置と、前記画像供給装置ごとの前記領域の割り当てを示す領域割り当てデータとに基づき、前記指示対象の前記画像供給装置を判定することを特徴とするプロジェクタ。
【請求項２】
請求項１に記載の複数の前記プロジェクタと、
前記複数のプロジェクタとネットワークを介して接続された請求項１に記載の前記複数の画像供給装置と、
を含む会議支援システム。
【請求項３】
複数のプロジェクタと、当該複数のプロジェクタとネットワークを介して接続された複数の画像供給装置とを用いた会議支援方法において、
前記画像供給装置は、各プロジェクタへ向け画像情報を送信し、
前記プロジェクタは、
前記画像情報に基づき、前記画像供給装置ごとに割り当てられた領域に前記画像情報に基づく個別画像を含む会議用画像を生成し、
当該会議用画像を投写し、
少なくとも１台の指示装置からの少なくとも１台の前記画像供給装置に対する指示を示す指示情報を受信し、
投写された前記会議用画像を撮像して撮像画像を生成し
前記撮像画像における前記指示装置によって発光された光の位置と、前記画像供給装置ごとの前記領域の割り当てを示す領域割り当てデータとに基づき、指示対象の前記画像供給装置を判定し、
前記指示情報を前記指示対象の前記画像供給装置へ向け送信し、
前記画像供給装置は、
前記指示情報を受信し、
前記指示情報に基づき、前記指示情報を反映した画像情報を生成し、
各プロジェクタへ向け当該画像情報を送信し、
前記プロジェクタは、
前記指示情報が反映された画像情報に基づく前記個別画像を含む前記会議用画像を生成し、
当該会議用画像を投写することを特徴とする会議支援方法。
【発明の詳細な説明】
【技術分野】
【０００１】
本発明は、プロジェクタ、会議支援システムおよび会議支援方法に関する。
【背景技術】
【０００２】
プロジェクタ等を用いて異なる場所で会議を行う場合、会議の参加者は、あらかじめ会議で用いるデータを交換することによってデータの共有を行っていた。また、特開２００５−２０３８８６号公報に記載されているように、サーバから画像情報を複数のプロジェクタに送信する手法も提案されている。しかし、これらの場合、会議中に新たなデータを共有したり、会議中にデータの修正を行ったりすることは困難である。
【０００３】
また、例えば、特開２０００−３２４４６１号公報では、参加者ごとのタブレットやマイクからの入力データを元のデータと関連付けて記憶し、再生指示に応じて当該関連付けたデータを再生することが記載されている。また、例えば、特開２００３−２０８４３５号公報では、描画操作を入力し、描画操作に基づいて描画軌跡情報を生成し、描画軌跡情報を環境特定情報（描画者情報、描画場所情報、描画時刻情報、キーワード情報、バージョン情報）と対応付けて記憶し、検索要求に適合する描画軌跡情報に基づいて描画履歴を再生することが記載されている。
【特許文献１】特開２００５−２０３８８６号公報
【特許文献２】特開２０００−３２４４６１号公報
【特許文献３】特開２００３−２０８４３５号公報
【発明の開示】
【発明が解決しようとする課題】
【０００４】
しかし、これらの手法は、会議後に会議時の入力内容を再現するための手法であり、会議中に新たなデータを共有したり、会議中にデータの修正を行ったりすることは困難である。特に、複数の画像供給装置とプロジェクタとが接続された状態で、画像供給装置ごとに割り当てられた領域に各画像供給装置からの画像情報に基づく個別画像を含む会議用画像を投写する状況で、ユーザが各個別画像の変更等を行うためには、各画像供給装置を直接操作しなければならない。このため、例えば、遠隔地間で会議が行われる際に上記複数の画像供給装置が異なる場所に配置されている場合、ユーザは、画像供給装置の配置された場所にいるユーザに対して音声で指示を行って画像供給装置を操作してもらわなければ個別画像の変更等を行うことができず、非常に手間がかかっていた。
【０００５】
本発明の目的は、複数の画像供給装置からの画像情報に基づく個別画像を含む会議用画像を投写する状況で、個別画像に対する変更指示等に応じて個別画像の変更等をより効率的に行うことが可能なプロジェクタ、会議支援システムおよび会議支援方法を提供することにある。
【課題を解決するための手段】
【０００６】
上記課題を解決するため、本発明に係るプロジェクタは、複数の画像供給装置からの画像情報を受信する画像情報受信部と、少なくとも１台の指示装置からの少なくとも１台の前記画像供給装置に対する指示を示す指示情報を受信する指示情報受信部と、前記指示情報を指示対象の前記画像供給装置へ向け送信する指示情報送信部と、前記画像供給装置ごとに割り当てられた領域に前記画像情報に基づく個別画像を含む会議用画像を生成する画像生成部と、前記会議用画像を投写する投写部と、を含むことを特徴とする。
【０００７】
また、本発明に係る会議支援システムは、上記複数の前記プロジェクタと、前記複数のプロジェクタとネットワークを介して接続された前記複数の画像供給装置と、を含むことを特徴とする。
【０００８】
また、本発明に係る会議支援方法は、複数のプロジェクタと、当該複数のプロジェクタとネットワークを介して接続された複数の画像供給装置とを用いた会議支援方法において、前記画像供給装置は、各プロジェクタへ向け画像情報を送信し、前記プロジェクタは、前記画像情報に基づき、前記画像供給装置ごとに割り当てられた領域に前記画像情報に基づく個別画像を含む会議用画像を生成し、当該会議用画像を投写し、少なくとも１台の指示装置からの少なくとも１台の前記画像供給装置に対する指示を示す指示情報を受信し、前記指示情報を指示対象の前記画像供給装置へ向け送信し、前記画像供給装置は、前記指示情報を受信し、前記指示情報に基づき、前記指示情報を反映した画像情報を生成し、各プロジェクタへ向け当該画像情報を送信し、前記プロジェクタは、前記指示情報が反映された画像情報に基づく前記個別画像を含む前記会議用画像を生成し、当該会議用画像を投写することを特徴とする。
【０００９】
本発明によれば、プロジェクタ等は、指示情報を指示対象の画像供給装置へ向け送信し、当該画像供給装置から指示情報の反映された画像情報を受信することにより、複数の画像供給装置からの画像情報に基づく個別画像を含む会議用画像を投写する状況で、個別画像に対する変更指示等に応じて個別画像の変更等を行うことができる。これにより、ユーザは、会議をより効率的かつ柔軟に行うことができる。
【００１０】
また、前記プロジェクタは、前記投写部によって投写された前記会議用画像を撮像して撮像画像を生成する撮像部と、前記指示対象の前記画像供給装置を判定する判定部と、を含み、前記指示装置は、前記指示情報の送信機能および発光機能を有し、前記撮像画像には、前記指示装置によって発光された光が含まれ、前記判定部は、前記撮像画像における前記光の位置と、前記画像供給装置ごとの前記領域の割り当てを示す領域割り当てデータとに基づき、前記指示対象の前記画像供給装置を判定してもよい。
【００１１】
これによれば、プロジェクタ等は、指示装置からの光の位置に応じて指示対象の画像供給装置を判定することができる。これにより、ユーザは、指示対象の画像供給装置を直接指定する必要がないため、より効率的に会議を行うことができる。
【００１２】
また、前記会議用画像の一部として投写されるカーソル画像を移動させる操作部と、前記指示対象の前記画像供給装置を判定する判定部と、を含み、前記判定部は、前記会議用画像における前記カーソル画像の位置と、前記画像供給装置ごとの前記領域の割り当てを示す領域割り当てデータとに基づき、前記指示対象の前記画像供給装置を判定してもよい。
【００１３】
これによれば、プロジェクタ等は、カーソル画像の位置に応じて指示対象の画像供給装置を判定することができる。これにより、ユーザは、指示対象の画像供給装置を直接指定する必要がないため、より効率的に会議を行うことができる。
【発明を実施するための最良の形態】
【００１４】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１５】
（第１の実施例）
図１は、第１の実施例における会議支援システムの全体図である。本実施例では、遠隔地間で会議が行われる場合について説明する。例えば、東京支社には、プロジェクタ１００−１、ビデオ会議装置２００−１、ルータ２０−１が配置され、大阪支社には、プロジェクタ１００−２、ビデオ会議装置２００−２、ルータ２０−２が配置され、福岡支社には、プロジェクタ１００−３、ビデオ会議装置２００−３、ルータ２０−３が配置されている。各支社のプロジェクタ１００およびビデオ会議装置２００は、ルータ２０、インターネット１０を介して他の支社のプロジェクタ１００およびビデオ会議装置２００と通信が可能である。
【００１６】
会議の参加者は、画像供給装置の一種であるビデオ会議装置２００を用いて画像情報および音声情報の送受信を行うとともに、プロジェクタ１００を用いて会議用画像を投写する。会議用画像は、ビデオ会議装置２００ごとの個別画像を含む。なお、ビデオ会議装置２００は、一般的なビデオ会議装置であり、画像情報および音声情報の送受信機能、音声入出力機能（マイク、スピーカ）等を有している。
【００１７】
また、会議の参加者は、指示装置の一種であり、発光機能を有するリモコン（リモートコントローラ）を用いて個別画像を選択して指示することにより、同じ会議室にあるビデオ会議装置２００だけでなく、他の支社にあるビデオ会議装置２００も制御することができる。次に、このような機能を有するプロジェクタ１００およびリモコンの機能ブロックについて説明する。
【００１８】
図２は、第１の実施例におけるプロジェクタ１００とリモコン３００の機能ブロック図である。プロジェクタ１００は、ルータ２０およびリモコン３００との通信を行う通信部１１０と、種々のデータを記憶する記憶部１２０と、種々の判定を行う判定部１３０と、画像生成部１４０と、投写部１９０と、投写部１９０によって投写された会議用画像を撮像する撮像部１５０を含んで構成されている。
【００１９】
また、通信部１１０は、各ビデオ会議装置２００からの画像情報を受信する画像情報受信部１１１と、リモコン３００からの指示情報を受信する指示情報受信部１１２と、ビデオ会議装置２００へ向け指示情報を送信する指示情報送信部１１３を含んで構成されている。また、記憶部１２０は、ビデオ会議装置２００ごとの領域の割り当てを示す領域割り当てデータ１２１、撮像部１５０による撮像画像を示す撮像データ１２２等を記憶している。
【００２０】
また、リモコン３００は、操作部３２０と、操作に応じて指示情報を生成する指示情報生成部３３０と、指示情報をプロジェクタ１００へ向け送信する通信部３１０と、発光部３５０と、操作に応じて発光部３５０を制御する制御部３４０を含んで構成されている。
【００２１】
なお、これらの各部は、例えば、以下のハードウェアを用いて実装されてもよい。例えば、画像情報受信部１１１および指示情報送信部１１３としてはＬＡＮボード等、指示情報受信部１１２および通信部３１０としては赤外通信ユニット等、記憶部１２０としてはＲＡＭ等、判定部１３０、指示情報生成部３３０および情報生成部２４０としてはＣＰＵ等、画像生成部１４０としては画像処理回路等、撮像部１５０としてはＣＣＤカメラ等、投写部１９０としてはランプ、液晶パネル、駆動回路、投写レンズ等、操作部３２０としてはボタン等、発光部３５０としてはレーザー発光ユニット等が採用されてもよい。
【００２２】
次に、プロジェクタ１００の処理手順について説明する。図３は、第１の実施例における処理手順を示すフローチャートである。例えば、プロジェクタ１００−１の画像情報受信部１１１は、ルータ２０−１を介してビデオ会議装置２００−１〜２００−３からの画像情報を受信する（ステップＳ１）。
【００２３】
また、プロジェクタ１００−１の画像生成部１４０は、各画像情報に基づき、会議用画像を生成し、投写部１９０は、会議用画像を投写する（ステップＳ２）。
【００２４】
図４は、第１の実施例における会議用画像４００の一例を示す図である。会議用画像４００では、ビデオ会議装置２００−１からの画像情報に基づく画像である個別画像４１０−１が左上、ビデオ会議装置２００−２からの画像情報に基づく画像である個別画像４１０−２が右上、ビデオ会議装置２００−３からの画像情報に基づく画像である個別画像４１０−３が左下に表示されている。
【００２５】
なお、ここでは、個別画像４１０−１では第１章第１節の画像、個別画像４１０−２では第１章第３節の画像、個別画像４１０−３では円グラフが表示されているものとする。また、プロジェクタ１００−１だけでなく、プロジェクタ１００−２、１００−３もプロジェクタ１００−１と同様の処理を実行して会議用画像４００を投写する。
【００２６】
判定部１３０は、指示情報受信部１１２によって指示情報が受信されたかどうかを判定することにより、ユーザによる指示があったかどうかを判定する（ステップＳ３）。ユーザによる指示があった場合、判定部１３０は、撮像部１５０に会議用画像４００を含む領域を撮像させる（ステップＳ４）。
【００２７】
撮像部１５０は、会議用画像４００を含む領域を撮像して撮像画像を示す撮像データ１２２を記憶部１２０に記憶する。図５は、第１の実施例におけるの撮像画像５００の一例を示す図である。
【００２８】
例えば、ユーザは、指示対象の個別画像４１０へ向け、操作部３２０を操作して発光部３５０からレーザー光（指示光３０）を発光するとともに、操作部３２０を操作してページ送り、ページ戻し等を指示する。ここでは、指示画像５００内の個別画像４１０−３の領域に指示光３０が含まれ、ユーザがページ戻しを指示したものとする。この場合、図５に示すように、撮像画像５００内の個別画像４１０−３の位置に指示光３０が含まれる。
【００２９】
指示があった場合、判定部１３０は、撮像データ１２２と、領域割り当てデータ１２１に基づき、指示対象のビデオ会議装置２００を判定する（ステップＳ５）。
【００３０】
図６は、第１の実施例における領域割り当てデータの一例を示す図である。領域割り当てデータ１２１は、例えば、ビデオ会議装置２００の識別情報である「ＩＤ」、ビデオ会議装置２００と通信を行うための情報である「ＩＰアドレス」、会議用画像４００における各個別画像４１０の領域を示す「領域」等が該当する。
【００３１】
例えば、判定部１３０は、領域割り当てデータ１２１を参照することにより、個別画像４１０−３は、ＩＤが０００３の装置に対応していることを把握でき、ＩＰアドレスから指示情報の送信先を把握できる。また、判定部１３０は、撮像画像５００における指示光３０の位置と、領域割り当てデータ１２１の領域からどのビデオ会議装置２００に対する指示であるかを判定できる。
【００３２】
例えば、判定部１３０は、撮像画像５００を外側から内側に向かって隣接画素の輝度値の差分値を順次演算し、当該差分値から撮像画像５００における会議用画像４００の境界線を把握することができ、会議用画像４００の領域を把握することができる。また、判定部１３０は、把握した撮像画像５００内の会議用画像４００の領域または撮像画像５００全体から指示光３０に該当する高輝度の領域を検出することにより、指示光３０の位置を把握することができる。
【００３３】
判定部１３０は、領域割り当てデータ１２１に基づき、判定したビデオ会議装置２００−３のＩＰアドレスを送信先とする指示情報（リモコン３００からの指示情報を含む。）を生成し、指示情報送信部１１３は、当該指示情報を指示対象である送信先のビデオ会議装置２００−３へ向け送信する（ステップＳ６）。
【００３４】
図７は、第１の実施例における会議用画像４０１の他の一例を示す図である。例えば、ビデオ会議装置２００−３に対してページ戻しの指示情報が送信された場合、ビデオ会議装置２００−３は、当該指示情報に応じてアプリケーションソフトを動作させてページを戻し、ページを戻した状態の画像情報をプロジェクタ１００−１〜１００−３へ向け送信する。
【００３５】
これにより、各プロジェクタ１００は、当該画像情報に基づき、会議用画像４０１のように、個別画像４１０−３のページが変更された状態の画像を投写する。例えば、図４に示す会議用画像４００の個別画像４１０−３では第１章第３節の画像が表示されているが、図７に示す会議用画像４０１の個別画像４１０−３では第１章第２節の画像が表示される。
【００３６】
判定部１３０は、指示情報受信部１１２によって会議の終了指示を示す指示情報が受信されたかどうかを判定することにより、会議終了かどうかを判定する（ステップＳ７）。プロジェクタ１００は、会議終了でない場合、ステップＳ１〜Ｓ７の処理を繰り返し実行し、会議終了である場合、処理を終了する。
【００３７】
以上のように、本実施例によれば、プロジェクタ１００は、指示情報を指示対象のビデオ会議装置２００へ向け送信し、当該ビデオ会議装置２００から指示情報の反映された画像情報を受信することにより、複数のビデオ会議装置２００からの画像情報に基づく個別画像４１０を含む会議用画像４００、４０１を投写する状況で、個別画像４１０に対する変更指示等に応じて個別画像４１０の変更等を行うことができる。これにより、ユーザは、会議をより効率的かつ柔軟に行うことができる。
【００３８】
また、本実施例によれば、プロジェクタ１００は、リモコン３００からの指示光３０の位置に応じて指示対象のビデオ会議装置２００を判定することができる。これにより、ユーザは、個別画像４１０をリモコン３００で選択することにより、指示対象のビデオ会議装置２００を選択して指示を行うことができるため、より効率的に会議中に新たなデータを共有したり、会議中にデータの修正を行ったりすることが可能になる。
【００３９】
例えば、東京支社のユーザが、音声で大阪支社のユーザにページの切り替えやデータの変更等を指示する場合、ページの切り替え等に時間がかかってしまう。これに対し、本実施例によれば、東京支社のユーザが、プロジェクタ１００−１を用いて大阪支社のビデオ会議装置２００−２に対して直接的にページの切り替え等を指示することができるため、より短時間でページの切り替え等を行うことができ、より効率的に会議を行うことができる。
【００４０】
また、本実施例によれば、会議支援システムは、サーバを用いる必要がないため、サーバ等が不調のため、会議支援システム全体が機能しなくなるといった事態の発生を防止することができる。
【００４１】
（第２の実施例）
第１の実施例では、撮像部１５０や発光部３５０を用いたが、これらの構成は必須ではない。また、第１の実施例では、インターネット１０を介した会議が行われているが、１つの会議室における会議が行われる場合にも本発明は有効である。次に、１つの会議室における会議が行われる場合に、カーソル画像を用いて指示対象に対する指示が行われる実施例について説明する。
【００４２】
図８は、第２の実施例における会議支援システムの全体図である。例えば、プロジェクタ１０１は、画像供給装置の一種であるＤＶＤプレーヤ２０１と、画像供給装置の一種であるＰＣ２０２と接続され、会議用画像４０２を投写する。会議用画像４０２には、ＤＶＤプレーヤ２０１からの画像情報に基づく個別画像４１１−１と、ＰＣ２０２からの画像情報に基づく個別画像４１１−２が含まれる。また、ユーザは、リモコンを操作することにより、会議用画像４０２内にカーソル画像４２０を表示し、カーソル画像４２０を用いて指示対象を指示することが可能である。次に、このような機能を有するプロジェクタ１０１とリモコンの機能ブロックについて説明する。
【００４３】
図９は、第２の実施例におけるプロジェクタ１０１とリモコン３０１の機能ブロック図である。プロジェクタ１０１は、画像情報受信部１１１と、指示情報受信部１１２と、指示情報送信部１１３と、記憶部１２０と、判定部１３１と、画像生成部１４０と、投写部１９０を含んで構成されている。また、記憶部１２０は、領域割り当てデータ１２１を記憶するが、撮像部１５０がないため、撮像データ１２２は記憶しない。
【００４４】
また、リモコン３０１は、通信部３１０と、操作部３２０と、指示情報生成部３３０を含み、制御部３４０、発光部３５０を含んでいない。
【００４５】
次に、プロジェクタ１０１の処理手順について説明する。図１０は、第２の実施例における処理手順を示すフローチャートである。ステップＳ１、Ｓ２、Ｓ７は第１の実施例と同様であるため、説明を省略する。
【００４６】
なお、本実施例では、カーソル画像４２０が会議用画像４００に常時表示されるものとする。もちろん、プロジェクタ１０１は、ユーザの指示に応じてカーソル画像４２０の表示と非表示を切り替えてもよい。
【００４７】
判定部１３１は、指示情報受信部１１２によって指示情報が受信されたかどうかを判定することにより、ユーザによる指示があったかどうかを判定する（ステップＳ１１）。なお、本実施例では、指示情報生成部３３０は、カーソル画像４２０を移動させる指示情報と、ページ送り等の一般的な指示情報を生成でき、操作部３２０は方向キーや傾きセンサ等によってカーソル画像４２０の移動方向を示す情報を生成できるものとする。
【００４８】
ユーザによる指示があった場合、判定部１３１は、指示情報がカーソル画像４２０の移動以外を示す指示情報かどうかを判定する（ステップＳ１２）。カーソル画像４２０の移動以外の指示情報の場合、判定部１３１は、カーソル画像４２０の位置と、領域割り当てデータ１２１に基づき、指示対象の画像供給装置を判定する（ステップＳ１３）。
【００４９】
また、判定部１３１は、領域割り当てデータ１２１に基づき、判定した画像供給装置のＩＰアドレスを送信先とする指示情報（リモコン３０１からの指示情報を含む。）を生成し、指示情報送信部１１３は、当該指示情報を指示対象である送信先の画像供給装置へ向け送信する（ステップＳ１４）。
【００５０】
一方、指示情報がカーソル画像４２０の移動を示す指示情報である場合、画像生成部１４０は、当該指示情報に基づき、カーソル画像４２０の位置を移動させる画像を生成し、投写部１９０は、当該画像を投写する（ステップＳ１５）。
【００５１】
なお、カーソル画像４２０は、例えば、ＯＳＤ(On Screen Display)画像であり、画像生成部１４０が、会議用画像４００内における現在位置を把握し、会議用画像４００内を移動させることが可能である。また、画像生成部１４０は、カーソル画像４２０の現在位置を示す現在位置データを記憶部１２０に記憶し、判定部１３１は、当該現在位置データに基づき、カーソル画像４２０の現在位置を把握してもよい。
【００５２】
以上のように、本実施例によれば、プロジェクタ１０１は、カーソル画像４２０の位置に応じて指示対象の画像供給装置を判定することができる。これにより、ユーザは、指示対象の画像供給装置を直接指定する必要がないため、より効率的に会議を行うことができる。
【００５３】
また、本実施例によれば、会議支援システムは、プロジェクタ１０１に撮像部１５０等を設けたり、リモコン３０１に発光部３５０等を設けたりする必要がないため、システム全体の構成を簡略化することができる。
【００５４】
（第３の実施例）
第１の実施例では、撮像部１５０や発光部３５０を用い、第２の実施例ではカーソル画像４２０を用いたが、これらの構成は必須ではない。次に、これらの構成を用いない第３の実施例について説明する。
【００５５】
図１１は、第３の実施例における会議支援システムの全体図である。会議支援システムでは、第１の実施例のプロジェクタ１００に代えてプロジェクタ１０２が用いられ、第１の実施例のリモコン３００に代えて指示装置としてノートＰＣ３０２−１〜３０２−３が用いられるものとする。これら以外の構成は第１の実施例と同様である。なお、ノートＰＣ３０２−１〜３０２−３はそれぞれ別のユーザによって用いられるものとする。
【００５６】
図１２は、第３の実施例におけるプロジェクタ１０２の機能ブロック図である。プロジェクタ１０２は、通信部１１０と、記憶部１２０と、判定部１３２と、画像生成部１４１と、投写部１９０を含んで構成されている。また、記憶部１２０は、領域割り当てデータ１２１を記憶し、撮像データ１２２は記憶していない。
【００５７】
ノートＰＣ３０２は、無線通信機能を有し、プロジェクタ１０２と無線通信が可能である。ノートＰＣ３０２は、ユーザによる指示があった場合、プロジェクタ１０２と接続を確立した場合等に指示画像を表示する。
【００５８】
図１３は、第３の実施例における指示画像６００の一例を示す図である。指示画像６００は、例えば、指示対象を選択するための画像と、指示内容を選択するための画像を含む。また、指示画像６００では、複数の指示対象を同時に選択したり、複数の指示内容を同時に選択したりすることが可能である。もちろん、第１および第２の実施例においても、複数の指示対象に対して複数の指示内容が指示されてもよい。ここでは、東京のビデオ会議装置２００−１と大阪のビデオ会議装置２００−２に対してページの一覧表示の指示が行われるものとする。
【００５９】
次に、プロジェクタ１０２の処理手順について説明する。図１４は、第３の実施例における処理手順を示すフローチャートである。ステップＳ１、Ｓ２、Ｓ６、Ｓ７は第１の実施例と同様であるため、説明を省略する。
【００６０】
判定部１３２は、指示情報受信部１１２によって指示情報が受信されたかどうかを判定することにより、ユーザによる指示があったかどうかを判定する（ステップＳ２１）。なお、本実施例では、ノートＰＣ３０２が、指示画像６００において、指示画像６００内の送信ボタンがクリックされた際に選択されている指示対象と指示内容を示す指示情報をプロジェクタ１０２へ向け送信するものとする。例えば、図１３に示す例では、ノートＰＣ３０２は、指示対象がビデオ会議装置２００−１、２００−２であり、指示内容が一覧表示であることを示す指示情報をプロジェクタ１０２へ向け送信する。
【００６１】
指示があった場合、判定部１３２は、指示情報に基づき、指示対象のビデオ会議装置２００を判定する（ステップＳ２２）。
【００６２】
以上のように、本実施例によれば、プロジェクタ１０２は、指示情報のみに基づいて指示対象の画像供給装置を判定することができる。これにより、ユーザは、指示対象の画像供給装置を直接指定する必要がないため、より効率的に会議を行うことができる。
【００６３】
また、本実施例によれば、会議支援システムは、プロジェクタ１０２に撮像部１５０等を設けたり、リモコン３００、３０１を用いたりする必要がないため、システム全体の構成を簡略化することができる。
【００６４】
（その他の実施例）
なお、本発明の適用は上述した実施例に限定されず、種々の変形が可能である。例えば、上述した第１〜第３の実施例を組み合わせてもよい。
【００６５】
また、インターネット１０や専用線等を介した会議が行われる場合にビデオ会議装置２００は必須ではない。例えば、ユーザが、ノートＰＣ３０２を用いて文字入力を行い、ノートＰＣ３０２が、入力された文字情報をプロジェクタ１００〜１０２へ向け送信し、プロジェクタ１００〜１０２が、文字情報に基づく文字列を個別画像４１０、４１１や個別画像４１０、４１１の非表示領域に表示してもよい。これによれば、会議支援システムは、いわゆるチャット機能を実現することができる。
【００６６】
また、このようなチャット機能を実現する際に、ノートＰＣ３０２からの指示情報に送信元の情報（例えば、ノートＰＣ３０２の識別名、ノートＰＣ３０２の使用者名等）が含まれる場合、画像生成部１４０は、送信元の情報と文字情報を関連付けて会議用画像を生成してもよい。これによれば、プロジェクタ１００〜１０２は、誰が入力した内容かを表示することができるため、ユーザに効率的に会議を行わせることができる。
【００６７】
また、判定部１３０、１３１は、リモコン３００、３０１を識別してもよい。例えば、ユーザごとにリモコン３００、３０１が割り当てられている場合、判定部１３０、１３１は、リモコン３００、３０１を識別することにより、誰による指示であるかを判定することが可能である。具体的には、判定部１３０、１３１は、例えば、リモコン３００からの光の色や輝度、リモコン３００、３０１からの情報送信間隔等に基づいて各リモコン３００、３０１を識別してもよい。なお、リモコン３００等の指示装置は１台でもよい。
【００６８】
また、会議用画像４００〜４０２における各個別画像４１０、４１１の大きさは同一でなくてもよく、画像生成部１４０は、一覧としてすべての個別画像４１０、４１１を小さく表示し、議論の対象の個別画像４１０、４１１のみを大きく表示する会議用画像を生成してもよい。
【００６９】
また、画像生成部１４０は、画像情報に送信元の情報（例えば、画像供給装置の識別名、画像供給装置の設置場所名等）が含まれる場合、個別画像４１０、４１１の一部として当該送信元の情報を示す会議用画像を生成してもよい。これによれば、プロジェクタ１００〜１０２は、個別画像４１０、４１１がどこの画像情報に基づく画像であるかをユーザにわかりやすく提示することができる。
【００７０】
また、第２の実施例では、カーソル画像４２０を移動させる操作部３２０がリモコン３０１に設けられているが、操作部３２０は、プロジェクタ１０１の本体に矢印キー等として設けられてもよい。また、プロジェクタ１０１とリモコン３０１が一体的にプロジェクタとして機能してもよい。
【００７１】
また、プロジェクタ１００〜１０２、ビデオ会議装置２００等は、会議が行われる際に、ユーザ名、パスワード等を用いた認証を行い、認証に成功した装置のみを会議に用いてもよい。また、複数の会議が同時に行われる場合、プロジェクタ１００〜１０２、ビデオ会議装置２００等は、会議名を用いて複数の会議を識別してもよい。
【００７２】
また、同一の会議におけるプロジェクタ１００〜１０２が投写する会議用画像４００〜４０２が同一の内容である必要はない。例えば、会議用画像４００〜４０２の一部として個別画像４１０、４１１以外の専用領域が設けられてもよいし、ビデオ会議装置２００等がすべての拠点ではなく特定の拠点にのみ画像情報を送信してもよい。
【００７３】
また、画像供給装置は、ビデオ会議装置２００、ＤＶＤプレーヤ２０１、ＰＣ２０２には限定されず、例えば、ゲーム装置等の画像情報を出力可能な種々の装置を採用可能である。また、指示装置は、リモコン３００、３０１、ノートＰＣ３０２には限定されず、例えば、携帯電話等の指示情報を出力可能な種々の装置を採用可能である。
【００７４】
また、プロジェクタ１００〜１０２は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００〜１０２の機能を複数の装置（例えば、ＰＣとプロジェクタ等）に分散して実装してもよい。
【図面の簡単な説明】
【００７５】
【図１】第１の実施例における会議支援システムの全体図である。
【図２】第１の実施例におけるプロジェクタとリモコンの機能ブロック図である。
【図３】第１の実施例における処理手順を示すフローチャートである。
【図４】第１の実施例における会議用画像の一例を示す図である。
【図５】第１の実施例におけるの撮像画像の一例を示す図である。
【図６】第１の実施例における領域割り当てデータの一例を示す図である。
【図７】第１の実施例における会議用画像の他の一例を示す図である。
【図８】第２の実施例における会議支援システムの全体図である。
【図９】第２の実施例におけるプロジェクタとリモコンの機能ブロック図である。
【図１０】第２の実施例における処理手順を示すフローチャートである。
【図１１】第３の実施例における会議支援システムの全体図である。
【図１２】第３の実施例におけるプロジェクタの機能ブロック図である。
【図１３】第３の実施例における指示画像の一例を示す図である。
【図１４】第３の実施例における処理手順を示すフローチャートである。
【符号の説明】
【００７６】
１０  インターネット、２０  ルータ、３０  指示光、１００〜１０２  プロジェクタ、１１０、３１０  通信部、１１１  画像情報受信部、１１２  指示情報受信部、１１３  指示情報送信部、１２０  記憶部、１２１  領域割り当てデータ、１２２  撮像データ、１３０〜１３２  判定部、１４０  画像生成部、１５０  撮像部、１９０  投写部、２００  ビデオ会議装置（画像供給装置）、２０１  ＤＶＤプレーヤ（画像供給装置）、２０２  ＰＣ（画像供給装置）、３００、３０１  リモコン（指示装置）、３０２  ノートＰＣ（指示装置）、３２０  操作部、３３０  指示情報生成部、３４０  制御部、３５０  発光部、４００〜４０２  会議用画像、４１０、４１１  個別画像、４２０  カーソル画像、５００  撮像画像、６００  指示画像
【図１】
0005263476.tif 000002
【図２】
0005263476.tif 000003
【図３】
0005263476.tif 000004
【図４】
0005263476.tif 000005
【図５】
0005263476.tif 000006
【図６】
0005263476.tif 000007
【図７】
0005263476.tif 000008
【図８】
0005263476.tif 000009
【図９】
0005263476.tif 000010
【図１０】
0005263476.tif 000011
【図１１】
0005263476.tif 000012
【図１２】
0005263476.tif 000013
【図１３】
0005263476.tif 000014
【図１４】
0005263476.tif 000015